(57)【要約】【課題】ブランクシートから作製される包装箱について、当初の閉じた状態を開封すると開封の事実を一目で判別できるようにし、また、再封状態を安定化させる。【解決手段】矩形の外蓋２の内側に矩形の内蓋３が配置された直方体形の包装箱１Ａであって、内蓋３は、その一辺３ａが包装箱１Ａの第１側壁５Ａと連接し、該一辺３ａに対向する辺３ｂに差込フラップ６が連接している。外蓋２はその一辺の外蓋連接辺２ａが、第１側壁５Ａに隣接した第２側壁５Ｂに連接し、外蓋連接辺２ａに対向する外蓋固定辺３ｂが、第２側壁５Ｂに対向する第３側壁５Ｃの上辺に重なり合う位置に固定され、該第３側壁５Ｃの上辺に重なり合う位置に固定された外蓋固定辺２ｂと外蓋連接辺２ａとの間に外蓋２を分断する切断誘導線Ｌａ、Ｌｂを有する。切断誘導線Ｌａ、Ｌｂで外蓋２を分断することにより、内蓋３が再封用外蓋となり、分断した外蓋２が再封用の開口部フラップとなる。【選択図】図３Ａ
2014129134.tif 000002
【特許請求の範囲】
【請求項１】
矩形の外蓋の内側に矩形の内蓋が配置された直方体形の包装箱であって、
内蓋は、その一辺で包装箱の第１側壁と連接し、該一辺に対向する辺に差込フラップが連接し、
外蓋は、その一辺の外蓋連接辺で第１側壁に隣接した第２側壁に連接し、外蓋において外蓋連接辺と対向する外蓋固定辺が、第２側壁に対向する第３側壁の上辺に重なり合う位置に固定され、外蓋固定辺と外蓋連接辺との間に外蓋を分断する切断誘導線を有し、
切断誘導線で外蓋を分断することにより、内蓋が再封用外蓋となり、分断した外蓋が、再封用外蓋の内側に配置する開口部フラップとなる包装箱。
【請求項２】
切断誘導線で外蓋を分断後、再封用外蓋として内蓋で包装箱を閉じたときに、内蓋に連接している差込フラップと、外蓋から形成された開口部フラップとが係合するように、内蓋と差込フラップの間の折線の端部又はその近傍に切れ込み又はリブが形成され、該折線と重なる外蓋の縁辺に係合用段部が形成されている請求項１記載の包装箱。
【請求項３】
第２側壁が、外側第２側壁面材と内側第２側壁面材との貼り合わせにより形成され、外側第２側壁面材と看板が連接し、内側第２側壁面材と外蓋が連接している請求項１又は２記載の包装箱。
【請求項４】
看板の高さが、外蓋連接辺と外蓋固定辺との距離よりも短い請求項３記載の包装箱。
【請求項５】
外蓋連接辺と外蓋固定辺の間に２本の切断誘導線を有する請求項１〜４のいずれかに記載の包装箱。
【請求項６】
外蓋連接辺上に第１の切断誘導線を有し、外蓋連接辺と外蓋固定辺の中間に第２の切断誘導線を有する請求項５記載の包装箱。
【請求項７】
切断誘導線で外蓋を分断後、再封用外蓋として内蓋で包装箱を閉じ、看板を開口フラップとして内蓋の内側に配置したときに、内蓋と連接している差込フラップと看板とが係合するように、内蓋と差込フラップの間の折線の端部又はその近傍に切れ込み又はリブが形成され、該折線と重なる看板の縁辺に係合用段部が形成されている請求項６記載の包装箱。
【請求項８】
２本の切断誘導線が、外蓋連接辺と外蓋固定辺から等距離にある外蓋の二等分線から、外蓋連接辺と外蓋固定辺との距離Ｗの２／６内の範囲内に形成されている請求項５記載の包装箱。
【請求項９】
第１側壁に対向する第４側壁の内側に内側側壁が設けられ、該内側側壁と第４側壁との間に差込フラップが差込可能な間隙を有する請求項１〜８のいずれかに記載の包装箱。
【請求項１０】
第４側壁に看板が連接している請求項１〜９のいずれかに記載の包装箱。
【請求項１１】
第３側壁に接着用フラップが連接し、接着用フラップと外蓋とが接着されることにより外蓋固定辺が第３側壁の上辺と重なり合う位置に固定されている請求項１〜１０のいずれかに記載の包装箱。
【請求項１２】
外蓋固定辺に接着用フラップが連接し、接着用フラップと第３側壁とが接着されることにより外蓋固定辺が第３側壁の上辺と重なり合う位置に固定されている請求項１〜１０のいずれかに記載の包装箱。
【請求項１３】
請求項１〜１２のいずれかに記載の包装箱に化粧品が収容されている化粧品包装体。
【発明の詳細な説明】
【技術分野】
【０００１】
本発明は、包装箱に関する。
【背景技術】
【０００２】
化粧品等の商品を包装箱に収容した包装体においては、不正開封を防止する点から、一度開封された後は、開封の事実を一目で判別できるようにすることが望まれる。また、店頭で商品を顧客に試用し、その商品を顧客に渡す場合などにおいては、一度包装箱を開封して商品を取り出し、その商品を再度包装箱に封じられるようにすることが望ましい。
【０００３】
ブランクシートの組み立てにより作製される化粧品等の包装箱であって、開封されたことを容易に判別できるものとして、四角筒型の容器本体の上端の開口部の周りに、内蓋フラップ、中間蓋フラップ及び外蓋フラップを有し、包装箱を最初に閉じる場合には、開口部上に内蓋フラップ、中間蓋フラップ、外蓋フラップを順次重ね、外蓋フラップの先端に形成された挿入片を、中間蓋フラップと容器本体との境界部分に形成した挿入孔に挿入し、これを開封する場合には、外蓋フラップと容器本体の境界部分に形成されたミシン目で外蓋フラップを切除するものが提案されている（特許文献１）。
【０００４】
この包装箱によれば、外蓋フラップの挿入片とそれに対応した挿入孔を大きくしてこれらを強く係止させることにより包装箱に安定した封止状態を作ることができる。また、これを開封するときには外蓋フラップを切除するので、開封されたことが容易に判別される。さらに、一度開封した後は、中間フラップの先端に形成された差込片を内蓋フラップと容器本体の間に差し込むことにより、再封することが可能となる。
【先行技術文献】
【特許文献】
【０００５】
【特許文献１】登録実用新案第３１０１９３９号公報
【発明の概要】
【発明が解決しようとする課題】
【０００６】
しかしながら、上述の包装箱の再封状態には次の問題がある。
(i)中間蓋フラップの先端に形成された差込片を、矩形の開口部の一縁から伸びている一枚の内蓋フラップと容器本体との間に差し込むだけで再封状態の保持を図るため、中間蓋フラップが不用意に開きやすい。
(ii)矩形の開口部の一縁から伸びている一枚の内蓋フラップだけで外表面の蓋となる中間蓋フラップを支持するため、中間蓋フラップが容器本体内に落ち込んで外観が損なわれ易い。
(iii)内蓋フラップが連接されている開口部の縁辺と反対側の縁辺近傍では中間蓋フラップと容器本体との間に隙間ができ、そこから塵等が箱内に入りやすい。
(iv)中間蓋フラップと容器本体との境界部分には、当初、外蓋フラップで包装箱を閉じるときに使用した大きな挿入孔が残存するので、包装箱の強度が低下する。
【０００７】
これに対し、本発明が解決しようとする課題は、ブランクシートの組立により作製される包装箱について、当初の閉じた状態を開封すると、その開封の事実を一目で判別することができ、かつ、包装箱を再度閉じるた場合には、蓋がきれいに閉じた再封状態を安定して保持できるようにすることに関する。
【課題を解決するための手段】
【０００８】
本発明者は、包装箱の当初の閉じた状態を作る外蓋を分断することにより包装箱が開封されるようにし、さらに、その分断した外蓋を、包装箱を再度閉じるときの再封用の開口部フラップとして使用することが上述の課題の解決に有効であることを見出し、本発明を想到した。
【０００９】
即ち、本発明は、矩形の外蓋の内側に矩形の内蓋が配置された直方体形の包装箱であって、
内蓋は、その一辺で包装箱の第１側壁と連接し、該一辺に対向する辺に差込フラップが連接し、
外蓋は、その一辺の外蓋連接辺で第１側壁に隣接した第２側壁に連接し、外蓋において外蓋連接辺と対向する外蓋固定辺が、第２側壁に対向する第３側壁の上辺に重なり合う位置に固定され、外蓋固定辺と外蓋連接辺との間に外蓋を分断する切断誘導線を有し、
切断誘導線で外蓋を分断することにより、内蓋が再封用外蓋となり、分断した外蓋が、再封用外蓋の内側に配置する開口部フラップとなる包装箱を提供する。
【００１０】
また、本発明は、上述の包装箱に化粧品が収容されている化粧品包装体を提供する。
【発明の効果】
【００１１】
本発明の包装箱によれば、最初に包装箱を閉じる状態が、外蓋の一辺と側壁とが固定されることにより形成されるので、外蓋の開封は切断誘導線で外蓋を分断することにより行われる。そして、閉じられている包装箱を一度開封し、再度閉じる再封時には、当初の内蓋を再封用外蓋とし、開封時に分断した外蓋を開口部フラップとして使用するので、一目で開封の有無を判別することができる。さらに、この再封状態では、矩形の開口部の対向する縁からフラップが突出するので再封状態が安定する。そのため、再封状態で内蓋が意図せずに開いたり、内蓋が容器本体内に落ち込んで美観が損なわれたり、蓋と容器本体との隙間から塵等が箱内に入り込んだりすることが防止される。
【００１２】
また、本発明の包装箱によれば、側壁の上端から看板を突出させることが可能であり、さらにその看板を再封時の開口部フラップとして使用することも可能となる。
【図面の簡単な説明】
【００１３】
【図１】図１は、実施例の包装箱１Ａの展開図である。
【図２Ａ】図２Ａは、実施例の包装箱１Ａの組立過程の斜視図である。
【図２Ｂ】図２Ｂは、実施例の包装箱１Ａの組立過程の上面図である。
【図３Ａ】図３Ａは、実施例の包装箱１Ａの斜視図である。
【図３Ｂ】図３Ｂは、実施例の包装箱１Ａの開封過程の斜視図である。
【図３Ｃ】図３Ｃは、実施例の包装箱１Ａの開封過程の斜視図である。
【図３Ｄ】図３Ｄは、実施例の包装箱１Ａの開封過程の斜視図である。
【図３Ｅ】図３Ｅは、実施例の包装箱１Ａの開封過程の斜視図である。
【図３Ｆ】図３Ｆは、実施例の包装箱１Ａの再封過程の斜視図である。
【図３Ｇ】図３Ｇは、実施例の包装箱１Ａの再封過程の上面図である。
【図３Ｈ】図３Ｈは、実施例の包装箱１Ａの再封状態の斜視図である。
【図４】図４は、実施例の包装箱１Ｂの展開図である。
【図５】図５は、実施例の包装箱１Ｂの斜視図である。
【図６】図６は、実施例の包装箱１Ｃの展開図である。
【図７Ａ】図７Ａは、実施例の包装箱１Ｃの閉じた状態の斜視図である。
【図７Ｂ】図７Ｂは、実施例の包装箱１Ｃの開封過程の斜視図である。
【図７Ｃ】図７Ｃは、実施例の包装箱１Ｃの開封状態の斜視図である。
【図７Ｄ】図７Ｄは、実施例の包装箱１Ｃの再封過程の斜視図である。
【図７Ｅ】図７Ｅは、実施例の包装箱１Ｃの再封状態の斜視図である。
【図８】図８は、実施例の包装箱１Ｄの展開図である。
【図９Ａ】図９Ａは、実施例の包装箱１Ｄの斜視図である。
【図９Ｂ】図９Ｂは、実施例の包装箱１Ｄの開封過程の斜視図である。
【図９Ｃ】図９Ｃは、実施例の包装箱１Ｄの開封状態の斜視図である。
【図９Ｄ】図９Ｄは、実施例の包装箱１Ｄの再封過程の斜視図である。
【図９Ｅ】図９Ｅは、実施例の包装箱１Ｄの再封状態の斜視図である。
【図１０】図１０は、実施例の包装箱１Ｅの展開図である。
【図１１】図１１は、実施例の包装箱１Ｅの斜視図である。
【図１２】図１２は、実施例の包装箱１Ｆの展開図である。
【図１３】図１３は、実施例の包装箱１Ｆの斜視図である。
【図１４】図１４は、実施例の包装箱１Ｇの展開図である。
【図１５】図１５は、実施例の包装箱１Ｇの斜視図である。
【発明を実施するための形態】
【００１４】
以下、図面に基づいて本発明の実施例を具体的に説明する。なお、各図中、同一符号は同一又は同等の構成要素を表している。
【００１５】
図１は、本発明の一実施例の包装箱１Ａの展開図であり、図２Ａはその組立過程の斜視図、図２Ｂは組立過程の上面図、図３Ａは実施例の包装箱１Ａの斜視図である。この包装箱１Ａは、ボール紙、プラスチックシート等の薄板状材料で形成された一枚のブランクシートの組立により作製される直方体形の包装箱であって、概略外蓋２、内蓋３、底板４、折線により区切られた６つの側壁面材等から形成されている。包装箱１Ａの内部には、化粧水、美容液、乳液、クリーム等をボトル容器、ジャー容器、チューブ容器等に充填した化粧品が収容される。
【００１６】
この包装箱１Ａでは、矩形の外蓋２の内側に矩形の内蓋３が配置されている。
内蓋３は、その一辺３ａが包装箱の第１側壁５Ａと連接し、その一辺に対向する辺３ｂに差込フラップ６が連接している。なお、本発明において連接とは、一枚の連続するブランクシートでつながっている状態をいう。
内蓋３には、押込により指穴を開口できる切り込み３ｈが形成されている。
【００１７】
内蓋３が連接する第１側壁５Ａに隣接した第２側壁５Ｂには、外蓋２の一辺２ａが連接している。外蓋２において、この辺２ａに対向する辺２ｂは、第２側壁５Ｂに対向する第３側壁５Ｃの上辺５Ｃａと重なり合う位置にあり、辺２ｂに連接する接着用フラップ７が第３側壁５Ｃに接着されていることにより、辺２ｂが第３側壁５Ｃの上辺５Ｃａに重なり合う位置に固定されている。本発明では、第２側壁５Ｂに連接する外蓋２の辺２ａを外蓋連接辺といい、第３側壁５Ｃの上辺５Ｃａと重なり合う位置に固定されている外蓋２の辺２ｂを外蓋固定辺という。
【００１８】
外蓋２は、外蓋連接辺２ａと外蓋固定辺２ｂとの間に外蓋２を分断する切断誘導線Ｌａ、Ｌｂを有する。より具体的には、外蓋連接辺２ａ上に第１の切断誘導線Ｌａを有し、外蓋連接辺２ａと外蓋固定辺２ｂとの中間に第２の切断誘導線Ｌｂを有する。切断誘導線Ｌａ、Ｌｂとしては、ミシン目、ハーフカット等が形成される。
【００１９】
後述するように、この包装箱１Ａは、２本の切断誘導線Ｌａ、Ｌｂで外蓋２を分断することにより開封され、その後、再封時には、内蓋３が再封用外蓋として使用される。したがって、開封の事実が一目で判別できるように、外蓋２と内蓋３とは色、印刷柄などの加飾を異ならせることが好ましい。
【００２０】
再封時には、外蓋２の分断後に外蓋固定辺２ｂ側に残存するフラップ状部分２Ｐが、再封用外蓋として使用される内蓋３の内側に配置されて開口部フラップとなる。そこで、第２の切断誘導線Ｌｂの形成位置としては、外蓋連接辺２ａと外蓋固定辺２ｂから等距離にある外蓋２の二等分線Ｌｍから、外蓋連接辺２ａ側と外蓋固定辺２ｂ側のそれぞれに、外蓋連接辺２ａと外蓋固定辺２ｂとの距離Ｗの２／６以内の範囲とすることが好ましい。これにより第２の切断誘導線Ｌｂの切断により形成されるフラップ状部分２Ｐに、開口部フラップとして十分な長さを確保することができる。
【００２１】
また、切断誘導線Ｌａ、Ｌｂで挟まれた切除領域２Ｑ（図１で斜めハッチングを付した部分）の両側縁の少なくとも一方には、切除領域２Ｑの側縁を摘み上げて切除しやすいように、湾曲部１１を設けることが好ましい。
【００２２】
さらに、再封時に、内蓋３に連接している差込フラップ６と、外蓋２の分断により形成されたフラップ状部分２Ｐとが係合するように、内蓋３と差込フラップ６との間の折線Ｌ1の一端にはカギ形の切り込み１２ａが形成され、この切り込み１２ａに対応する外蓋２のフラップ状部分２Ｐの縁辺には係合用段部１３が形成されている。
【００２３】
第２側壁５Ｂは、外側第２側壁面材５Ｂoと内側第２側壁面材５Ｂiとの貼り合わせにより形成され、外側第２側壁面材５Ｂoに看板８が連接し、内側第２側壁面材５Ｂiに外蓋２が連接している。なお、看板８は、例えば、製品名や製品の特徴などの情報が目立つように記載され、製品の陳列時などにおいて広告板の機能を担う部分である。
【００２４】
これに対し、本実施例の包装箱１Ａでは、看板８が、包装箱１Ａの再封時には開口部フラップとして使用される。このため、看板８の高さＨは、包装箱１Ａの開口部３０の幅よりも短くすること、即ち、外蓋連接辺２ａと外蓋固定辺２ｂとの距離よりも短く形成することが好ましい。
【００２５】
また、開口部フラップとして使用される看板８と、再封用外蓋として使用される内蓋３に連接した差込フラップ６とが再封時に係合するように、内蓋３と差込フラップ６との間の折線Ｌ1の一端にはカギ形の切り込み１２ｂが形成され、この切り込み１２ｂに対応する看板の縁辺には係合用段部１４が形成されている。
【００２６】
なお、上述のカギ形の切り込み１２ａ、１２ｂと段部１３、１４との係合を弱める場合には、カギ形の切り込み１２ａ、１２ｂに代えて直線形切り込みを形成してもよい。さらには、カギ形の切り込み１２ａ、１２ｂに代えて、折線Ｌ1の両端部近傍の差込フラップ６に、該折線Ｌ1に沿って伸びたリブ１７ａ、１７ｂを形成してもよい（図６参照）。ここで、リブ１７ａ、１７ｂは、箱の内側に突出するように形成する。また、このようなリブ１７ａ、１７ｂは、エンボス加工により形成することができる。これにより、再封時の差込フラップ６のリブ１７ａと外蓋２のフラップ状部分２Ｐの段部１３との係合、及び差込フラップ６のリブ１７ｂと看板の縁部に形成された段部１４との係合をさらに弱め、内蓋３の開封が容易となる。
【００２７】
第４側壁５Ｄの内側には、内側側壁５Ｅが設けられている。この内側側壁５Ｅは第４側壁５Ｄから浮いており、第４側壁５Ｄと内側側壁５Ｅとの間には、そこに差込フラップ６を差込可能とする間隙ｓがあいている（図２Ｂ）。
【００２８】
この包装箱１Ａの組み立ては、図２Ａに示すように、６つ矩形の側壁面材を４角筒状に折り曲げて外側第２側壁面材５Ｂoと内側第２側壁面材５Ｂiとを貼り合わせる。この場合、内側側壁５Ｅは第４側壁５Ｄと貼り合わせずに重ね合わせる。次に、第１側壁５Ａ、第４側壁５Ｄからそれぞれ底板側に伸びている底部フラップ９Ａ、９Ｂと、底板４及び底板４に連接した底部差込フラップ１０とから常法により差込式の底面を作る。こうして図２Ａに示すように、開口部３０が開いた包装箱１Ａを作製する。なお、なお、包装箱１Ａを最初に閉じた後は開封の有無を容易に判別できるように、底板４側からは開封されず、包装箱１Ａが外蓋２側から開封されるようにすることが好ましい。そのため、例えば、底板４と底部差込フラップ１０の間の折線の両端にはカギ形の切り込み１５を形成すると共に、それに対応する底部フラップ９Ａ、９Ｂの縁辺には係合用段部１６を設け、カギ形の切り込み１５と段部１６を強く係合させることが好ましい。
【００２９】
開口部３０が開いている包装箱１Ａの内部に化粧品等の所定の内容物を収容した後、包装箱１Ａを最初に閉じる場合には、まず、内蓋３に連接している差込フラップ６を箱内に差し込んで内蓋３で開口部３０を閉じ、次に外蓋２に連接している接着用フラップ７を第３側壁５Ｃに貼着する。このとき、差込フラップ６を、第４側壁５Ｄと内側側壁５Ｅとの間隙ｓ内に差し込むことにより、内蓋３が箱内に落ち込むことを防止することができる。
【００３０】
また、接着用フラップ７と第３側壁５Ｃとの貼着方法としては、包装箱１Ａを構成する薄板状材料の種類に応じて、粘着テープによる貼着、接着剤による接着、溶剤による融着、加熱による溶着などをあげることができる。図１においてドットで塗り潰した部分は、この貼着領域を示している。こうして図３Ａに示すように、包装箱１Ａの内部に化粧品等の内容物が収容され、封じられた包装体を得ることができる。なお、この包装箱１Ａでは接着用フラップ７を第３側壁５Ｃの外側から貼着しているので貼着作業がである。一方、接着用フラップ７を第３側壁５Ｃの内側から貼着するのとデザイン上好ましい。
【００３１】
この包装体１Ａによれば、外蓋２の一端が第２側壁５Ｂに連接し、それに対向する他端から連接した接着用フラップ７が第３側壁５Ｃに接着されているので、包装箱１Ａが不用意に開くことがなく、閉じた状態を安定して保ち、不正開封を防止することができる。また、包装箱１Ａを閉じるために、包装箱の外表面に係止用差込片を差し込む穴を形成することが不要であるため、箱自体の強度を再封後においても強く維持することができる。本発明は、かかる包装体も包含する。
【００３２】
包装箱１Ａを開封する場合には、まず、外蓋２に形成されている第１、第２の切断誘導線Ｌａ、Ｌｂで外蓋２の切除領域２Ｑを切除し、外蓋２にフラップ状部分２Ｐを残す（図３Ｂ）。次に、外蓋２のフラップ状部分２Ｐを箱の外側に開き（図３Ｃ）、内蓋３の切り込み３ｈに指を押し込んで指穴を開け、内蓋３を引き上げ（図３Ｄ）、開口部３０を広く開口させ、内容物を取り出す（図３Ｅ）。
【００３３】
一度開封した後、包装箱１Ａを再封する場合には、看板８と外蓋２のフラップ状部分２Ｐを開口部フラップとして使用し（図３Ｆ）、内蓋３を再封用外蓋として使用する。これにより、開口部３０の対向する辺から開口部フラップが突出するので、この上に内蓋３を重ねて閉じることにより再封状態において内蓋３が箱内に落ち込むことを防止するとともに、再封状態が安定する。
【００３４】
また、内蓋３で開口部３０を閉じるときには、内蓋３に連接している差込フラップ６を、内側側壁５Ｅの内側面５Ｅａに沿わせて差し込むことが好ましい（図３Ｇ）。これにより図３Ｈに示すように、差込フラップ６と内蓋３との間の折線の両端に形成されている切り込み１２ａ、１２ｂと、外蓋２のフラップ状部分２Ｐに形成されている段部１３、看板８に形成されている段部１４がそれぞれ係合する。したがって、閉じた箱が意図せず開いてしまうことを防止することができる。また、差込フラップ６が内側側壁５Ｅによって箱の中央側に押されることにより、上述の係合が強まり、差込フラップ６が箱内から抜けにくくなるので好ましい。
【００３５】
本発明は、種々の態様をとることができる。
例えば、上述の包装箱１Ａにおいて、最初に包装箱１Ａを閉じるときに、外蓋２に連接している接着用フラップ７を第３側壁５Ｃに貼着して外蓋２を固定するのに代えて、図４、図５に示す包装箱１Ｂのように、第３側壁５Ｃに接着用フラップ１７を連接し、接着用フラップ１７と外蓋２とを貼着することができる。図３Ａに示す包装箱１Ａのように、接着用フラップ７を外蓋２に連接すると、その貼着が容易となるので製造上好ましいが、図５に示す包装箱１Ｂのように接着用フラップ１７を第３側壁５Ｃに連接し、その上に外蓋２を貼着すると、外観上接着用フラップ１７が視認されないのでデザイン上好ましい。
【００３６】
また、これらの包装箱１Ａ、１Ｂにおいて内側側壁５Ｅを省略してもよい。さらに、図６、図７Ａ〜図７Ｃに示す包装箱１Ｃのように、外蓋２の２本の切断誘導線Ｌａ、Ｌｂの形成位置を、双方とも外蓋連接辺２ａと外蓋固定辺２ｂの中間としてもよい。この場合、いずれの切断誘導線Ｌａ、Ｌｂも、外蓋連接辺２ａと外蓋固定辺２ｂから等距離にある外蓋の二等分線Ｌｍから、外蓋連接辺２ａ側と外蓋固定辺２ｂ側にそれぞれこれらの距離Ｗの２／６以内の範囲に形成することが好ましい。これにより切断誘導線Ｌａ、Ｌｂの切除後に外蓋２に残る部分に、開口部フラップとして十分な長さを確保することができる。
【００３７】
また、外蓋連接辺２ａと外蓋固定辺２ｂの中間に２本の切断誘導線Ｌａ、Ｌｂを形成すると、この切断誘導線Ｌａ、Ｌｂで外蓋２を分断し（図７Ｂ）、内蓋３を引き上げて包装箱１Ｃを開口し（図７Ｃ）、その後、包装箱１Ｃを再封する場合に、看板８を開口部フラップとして使用せず、外蓋２の分断により形成された２枚のフラップ状部分２Ｐ1、２Ｐ2を開口部フラップとして使用することができる（図７Ｄ）。したがって、再封後の包装箱１Ｃに看板８を残すことができ（図７Ｅ）、看板８による製品のアピールを続行できる点で好ましい。さらに、このように外蓋２に２本の切断誘導線Ｌａ、Ｌｂを形成することは、看板８の無い包装箱において、再封時に内蓋３を再封用外蓋として使用する場合に、内蓋３が箱内に落ち込むことを防止し、再封状態を安定化させる点で好ましい。
【００３８】
また、この包装箱１Ｃでは、前述の包装箱１Ａ、１Ｂにおいて内蓋３と差込フラップ６との間の折線Ｌ1の両端に設けていたカギ形の切り込み１２ａ、１２ｂに代えて、折線Ｌ1の両端部近傍の差込フラップ６に、折線Ｌ1に沿って伸びたリブ１７ａ、１７ｂを有している。外蓋２の分断後に形成されるフラップ状部分２Ｐ1、２Ｐ2の縁辺が、再封時に折線Ｌ1と重なる位置に段部１３、１４を設けておくと、再封時に、この段部１３、１４と上述のリブ１７ａ、１７ｂが緩く係合する。したがって、再封後に再度開封することが容易となる。
【００３９】
図８、図９Ａに示す包装箱１Ｄのように、内蓋３が連接する第１側壁５Ａと対向する第４側壁５Ｄに看板８を連接し、外蓋２が連接する第２側壁５Ｂを１枚の側壁面材で形成してもよい。この場合、４枚の側壁面材を筒状に形成するために、接着用フラップ１８が使用される。
【００４０】
この包装箱１Ｄには、上述の包装箱１Ｃのように、外蓋連接辺２ａと外蓋固定辺２ｂの中間に２本の切断誘導線Ｌａ、Ｌｂが形成されている。また、切断誘導線Ｌａ、Ｌｂの引き裂きを容易にするノッチ１９が切断誘導線Ｌａ、Ｌｂの看板８側の端部に設けられている。したがって、ノッチ１９から切断誘導線Ｌａ、Ｌｂを切ることにより、図９Ｂに示すように、容易に切断誘導線Ｌａ、Ｌｂを切断することができる。また、この包装箱１Ｄによれば切断誘導線Ｌａ、Ｌｂが看板８の面に垂直となるので、切断誘導線Ｌａ、Ｌｂの端部にノッチ１９を設けるにあたり、ノッチ１９を看板８の基部に位置させることができる。したがって、商品の流通過程でノッチ１９が何かに引っかかることで意図せず切断誘導線Ｌａ、Ｌｂが切れてしまうことを防止できる。
【００４１】
この包装箱１Ｄも切断誘導線Ｌａ、Ｌｂで外蓋２の中央部分を切除することにより、包装箱１Ｄに２つのフラップ状部分２Ｐ1、２Ｐ2を残し、内蓋３を引き上げて開口部３０を開口することができる（図９Ｃ）。その後、内容物を箱内に収容して包装箱１Ｄを閉じるときには、フラップ状部分２Ｐ1、２Ｐ2を閉じ（図９Ｄ）、内蓋３の差込フラップ６を箱内に挿入して内蓋３とフラップ状部分２Ｐ1、２Ｐ2を係合させ、不用意に開口しないように内蓋３を閉じることができる（図９Ｅ）。
【００４２】
図１０、図１１に示す包装箱１Ｅは、上述の包装箱１Ｄにおいて、外蓋２に連接した接着用フラップ７と第３側壁５Ｃとを貼着して外蓋２を固定するのに代えて、第３側壁５Ｃに接着用フラップ１７を連接し、接着用フラップ１７と外蓋２とを貼着したものである。
【００４３】
図１２、図１３に示す包装箱１Ｆは、図８、図９Ａに示した包装箱１Ｄにおいて、看板８を省略し、外蓋２に１本の切断誘導線Ｌｃを設けたものである。この包装箱１Ｆも、切断誘導線Ｌｃで外蓋２を分断して包装箱１Ｆを開口し、再封時には、切断誘導線Ｌｃで分断した外蓋２を開口部フラップとし、内蓋３を再封用外蓋とすることで開口部３０を安定に閉じることができる。開封のしやすさの点からは、外蓋２には切断誘導線を２本設けることが好ましい。
【００４４】
図１４、図１５に示す包装箱１Ｇは、図１、図３Ａに示した包装箱１Ａにおいて、第４側壁５Ｄに看板８ｂを連接し、この看板８ｂと第２側壁５Ｂに連接する看板８とで合計２枚の看板を設けたものである。これにより、看板８、８ｂが目にとまりやすくなり、商品を強くアピールすることが可能となる。
【００４５】
この他、本発明においては、看板８、８ｂの数や有無、内側側壁５Ｅの有無、接着用フラップ７、１７の連接位置、切断誘導線Ｌａ、Ｌｂ、Ｌｃの本数や位置などを適宜変更して組み合わせることができる。また、底面の構成には特に限定はなく、例えば、Ａ式（みかん箱タイプ）の底面としてもよく、ロック式の底面としてもよいが、不正開封を防止する点、及び一度開封した後は開封の事実を一目で判別できるようにする点から、底面が容易に開封できないように適宜接着などを行うことが好ましい。
【００４６】
内蓋３の引き上げを容易にするために、指穴を形成する切り込み３ｈに代えて、内蓋３には指掛け用の凹部を適宜形成してもよい。
【００４７】
上述した実施形態に関し、本発明はさらに以下の包装箱或いは化粧品包装体を開示する。
＜１＞矩形の外蓋の内側に矩形の内蓋が配置された直方体形の包装箱であって、内蓋は、その一辺で包装箱の第１側壁と連接し、該一辺に対向する辺に差込フラップが連接し、外蓋は、その一辺の外蓋連接辺で第１側壁に隣接した第２側壁に連接し、外蓋において外蓋連接辺と対向する外蓋固定辺が、第２側壁に対向する第３側壁の上辺に重なり合う位置に固定され、外蓋固定辺と外蓋連接辺との間に外蓋を分断する切断誘導線を有し、切断誘導線で外蓋を分断することにより、内蓋が再封用外蓋となり、分断した外蓋が、再封用外蓋の内側に配置する開口部フラップとなる包装箱。  
【００４８】
＜２＞切断誘導線で外蓋を分断後、再封用外蓋として内蓋で包装箱を閉じたときに、内蓋に連接している差込フラップと、外蓋から形成された開口部フラップとが係合するように、内蓋と差込フラップの間の折線の端部又はその近傍に切れ込み又はリブが形成され、該折線と重なる外蓋の縁辺に係合用段部が形成されている、前記＜１＞に記載の包装箱。
＜３＞第２側壁が、外側第２側壁面材と内側第２側壁面材との貼り合わせにより形成され、外側第２側壁面材と看板が連接し、内側第２側壁面材と外蓋が連接している、前記＜１＞又は＜２＞に記載の包装箱。
＜４＞看板の高さが、外蓋連接辺と外蓋固定辺との距離よりも短い、前記＜３＞に記載の包装箱。
＜５＞外蓋連接辺と外蓋固定辺の間に２本の切断誘導線を有する、前記＜１＞〜＜４＞のいずれかに記載の包装箱。
＜６＞外蓋連接辺上に第１の切断誘導線を有し、外蓋連接辺と外蓋固定辺の中間に第２の切断誘導線を有する、前記＜５＞に記載の包装箱。
＜７＞第２の切断誘導線が、外蓋連接辺と外蓋固定辺から等距離にある外蓋の二等分線から、外蓋連接辺側と外蓋固定辺側のそれぞれに、外蓋連接辺と外蓋固定辺との距離Ｗの２／６内の範囲内に形成されている、前記＜６＞に記載の包装箱。
＜８＞切断誘導線で外蓋を分断後、再封用外蓋として内蓋で包装箱を閉じ、看板を開口フラップとして内蓋の内側に配置したときに、内蓋と連接している差込フラップと看板とが係合するように、内蓋と差込フラップの間の折線の端部又はその近傍に切れ込み又はリブが形成され、該折線と重なる看板の縁辺に係合用段部が形成されている、前記＜６＞又は＜７＞に記載の包装箱。
＜９＞内蓋と差込フラップの間の折線の端部の切り込みが、カギ形の切り込みからなる、前記＜２＞〜＜８＞のいずれかに記載の包装箱。
＜１０＞前記内蓋と差込フラップの間の折線の端部の切り込みが、直線形の切り込みからなる、前記＜２＞〜＜８＞のいずれかに記載の包装箱。
＜１１＞内蓋と差込フラップの間の折線の両端部近傍の差込フラップに、該折線に沿って伸びたリブが形成されている、前記＜２＞〜＜８＞のいずれかに記載の包装箱。
＜１２＞リブが、箱の内側に突出するように形成されている、前記＜１１＞に記載の包装箱。
＜１３＞第１側壁に対向する第４側壁の内側に内側側壁が設けられ、該内側側壁と第４側壁との間に差込フラップが差込可能な間隙を有する、前記＜１＞〜＜１４＞のいずれかに記載の包装箱。
＜１４＞２本の切断誘導線が、外蓋連接辺と外蓋固定辺から等距離にある外蓋の二等分線から、外蓋連接辺と外蓋固定辺との距離Ｗの２／６内の範囲内に形成されている、前記＜５＞に記載の包装箱。
＜１５＞内蓋が連接する第１側壁と対向する第４側壁に看板を連接し、外蓋が連接する第２側壁を１枚の側壁面材で形成されてなる、前記＜１４＞に記載の包装箱。
＜１６＞第３側壁又は第４側壁に接着用フラップが連接されてなる、＜１４＞又は＜１５＞のいずれかに記載の包装箱。
＜１７＞切断誘導線が看板の面に垂直となり、ノッチが看板側の端部に形成されてなる、前記＜１４＞〜＜１６＞のいずれかに記載の包装箱。
＜１８＞切断誘導線で外蓋を分断後、再封用外蓋として内蓋で包装箱を閉じ、看板を開口フラップとして内蓋の内側に配置したときに、外蓋の分断により形成された２枚のフラップ状部分が開口部フラップとなる、前記＜１４＞〜＜１６＞のいずれかに記載の包装箱。
＜１９＞２本の切断誘導線の引き裂きを容易にするノッチが形成されてなる、前記＜１４＞〜１８のいずれかに記載の包装箱。
＜２０＞第４側壁に看板が連接している、前記＜１＞〜＜１９＞のいずれかに記載の包装箱。
＜２１＞第３側壁に接着用フラップが連接し、接着用フラップと外蓋とが接着されることにより外蓋固定辺が第３側壁の上辺と重なり合う位置に固定されている、前記＜１＞〜＜２０＞のいずれかに記載の包装箱。
＜２２＞外蓋固定辺に接着用フラップが連接し、接着用フラップと第３側壁とが接着されることにより外蓋固定辺が第３側壁の上辺と重なり合う位置に固定されている、前記＜１＞〜＜２１＞のいずれかに記載の包装箱。
＜２３＞ボール紙、プラスチックシート等の薄板状材料で形成された一枚のブランクシートの組立により作製される、前記＜１＞〜＜２２＞のいずれかに記載の包装箱。
＜２４＞切断誘導線は、ミシン目、ハーフカット等からなる、前記＜１＞〜＜２３＞のいずれかに記載の包装箱。
＜２５＞内蓋に、押込により指穴を開口できる切り込みが形成されている、前記＜１＞〜＜２４＞のいずれかに記載の包装箱。
＜２６＞内蓋に、指掛け用の凹部が形成されている、前記＜１＞〜＜２４＞のいずれかに記載の包装箱。
＜２７＞第１側壁、第４側壁からそれぞれ底板側に伸びている底部フラップと、底板及び底板に連接した底部差込フラップを備える、前記＜１＞〜＜２６＞のいずれかに記載の包装箱。
＜２８＞前記底板と前記底部差込フラップの間の折線の両端にはカギ形の切り込みを形成すると共に、それに対応する底部フラップの縁辺には係合用段部が形成されている、前記＜２７＞に記載の包装箱。
＜２９＞切断誘導線で挟まれた切除領域の両側縁の少なくとも一方には、切除領域の側縁を摘み上げて切除しやすいように、湾曲部が形成されている、前記＜５＞〜＜２８＞のいずれかに記載の包装箱。
【００４９】
＜３０＞前記＜１＞〜＜２９＞のいずれかに記載の包装箱に化粧品が収容されている化粧品包装体。
【符号の説明】
【００５０】
１Ａ、１Ｂ、１Ｃ、１Ｄ、１Ｅ、１Ｆ、１Ｇ  包装箱
２  外蓋
２ａ  外蓋連接辺
２ｂ  外蓋固定辺
２Ｐ、２Ｐ1、２Ｐ2  フラップ状部分
２Ｑ  切除領域
３    内蓋
３ｈ  切り込み
４    底板
５Ａ  第１側壁
５Ｂ  第２側壁
５Ｂi 内側第２側壁面材
５Ｂo 外側第２側壁面材
５Ｃ  第３側壁
５Ｄ  第４側壁
５Ｅ  内側側壁
６    差込フラップ
７    接着用フラップ
８、８ｂ    看板
９Ａ、９Ｂ    底部フラップ
１０    底部差込フラップ
１１    湾曲部
１２ａ、１２ｂ    切り込み
１３    段部
１４    段部
１５    切り込み
１６    段部
１７    接着用フラップ
１８    接着用フラップ
１９    ノッチ
３０    開口部
Ｌ1   折線
Ｌａ、Ｌｂ、Ｌｃ    切断誘導線
Ｌｍ  二等分線
ｓ    間隙
Ｗ    外蓋連接辺と外蓋固定辺の距離
【図１】
2014129134.tif 000003
【図２Ａ】
2014129134.tif 000004
【図２Ｂ】
2014129134.tif 000005
【図３Ａ】
2014129134.tif 000006
【図３Ｂ】
2014129134.tif 000007
【図３Ｃ】
2014129134.tif 000008
【図３Ｄ】
2014129134.tif 000009
【図３Ｅ】
2014129134.tif 000010
【図３Ｆ】
2014129134.tif 000011
【図３Ｇ】
2014129134.tif 000012
【図３Ｈ】
2014129134.tif 000013
【図４】
2014129134.tif 000014
【図５】
2014129134.tif 000015
【図６】
2014129134.tif 000016
【図７Ａ】
2014129134.tif 000017
【図７Ｂ】
2014129134.tif 000018
【図７Ｃ】
2014129134.tif 000019
【図７Ｄ】
2014129134.tif 000020
【図７Ｅ】
2014129134.tif 000021
【図８】
2014129134.tif 000022
【図９Ａ】
2014129134.tif 000023
【図９Ｂ】
2014129134.tif 000024
【図９Ｃ】
2014129134.tif 000025
【図９Ｄ】
2014129134.tif 000026
【図９Ｅ】
2014129134.tif 000027
【図１０】
2014129134.tif 000028
【図１１】
2014129134.tif 000029
【図１２】
2014129134.tif 000030
【図１３】
2014129134.tif 000031
【図１４】
2014129134.tif 000032
【図１５】
2014129134.tif 000033